(57)【要約】【課題】災害、緊急避難等において、照明が必要な事態に即座に取出し平面型照明、又は変形し懐中電灯に用いることができる照明装置を提供する。【解決手段】外郭の一辺を開口部にし、他の多角辺を密閉に設けたボタン電池を収める封筒状で、ボタン電池の厚みに合わせるように形成し、内部に電極を形成したボタン電池ホルダーにし、磁石付絶縁遮蔽板を備え、全体を薄い構造にしたスイッチ操作を備えたボタン電池ホルダー。該ボタン電池ホルダーを用いて、名刺サイズ前後の面積で、柔軟に変形をする樹脂材、又は金属材の平面シート面に少なくとも１個のＬＥＤ備えた照明装置、該照明装置の構造は厚さを数ｍｍ程度であることから、名刺入れ、財布やバックの片隅に入れることができる。  よって、緊急時おいて即座に取出し、多角形筒状、円筒形状に変形にして懐中電灯として用いるか、平面状の非常灯として連続、長時間用いることができる変形式懐中電灯。【選択図】図６
2020187924.tif 000002
【特許請求の範囲】
【請求項１】
ボタン電池を収容する収容ケースにおいて、
外郭の側面の一辺より前記ボタン電池を挿入する開口部にし、他の辺を密閉したボタン電池ホルダーで、該収容ケースの内部に正電極板と負電極板を対向にして設け、
前記正電極板の背面側に磁石を吸着する金属板を設け、前記負極電極板側の前記収容ケースの外面に前記磁石を着脱自在にし、
前記磁石を合成樹脂の電気的絶縁材の一端に設けた磁石付絶縁遮蔽板にし、該磁石付絶縁遮蔽板を前記開口部に挿抜できる形状にし、前記正電極板とボタン電池電極面の間、又は前記負電極板とボタン電池電極面の間に該磁石付絶縁遮蔽板を挿抜できる構造にしたことを特徴とするボタン電池ホルダー。
【請求項２】
前記収容ケース内に前記ボタン電池を収容において、
前記収容ケースの前記開口部は上面側より下面側が舌状に出た形状にし、前記舌状の端に前記ボタン電池を係止する凸起に形成し、前記ボタン電池の一端が前記開口部より出た状態で保持することを特徴とする請求項１記載のボタン電池ホルダー。
【請求項３】
請求項１、請求項２の何れかに記載のボタン電池ホルダーとＬＥＤを１個又は複数個、及び柔軟に変形する合成樹脂の電気的絶縁材の平面シートの基板を用いて、前記基板面に前記ボタン電池ホルダーと前記ＬＥＤを配設し、前記ボタン電池ホルダーの両電極端子と前記ＬＥＤの電極線と接続した平面用電灯、又は前記平面用電灯を筒状、又は多角形筒状の電灯に変形できることを特徴とする変形式ＬＥＤ懐中電灯。
【発明の詳細な説明】
【技術分野】
【０００１】
本発明は、スイッチ機能を備えたボタン電池ホルダーを用いて、緊急時に財布などから取出し、非常時に対応し、即座に変形するＬＥＤ懐中電灯に関する。
【背景技術】
【０００２】
従来のボタン電池ホルダーを用いて、ＬＥＤを平面状の基板に設けた照明装置は電池ホルダーの形状に厚みがあり、薄い照明装置に構造に難点がある。
また、電源スイッチを取付け電池ホルダーとの結線をしなければならないものである。
【０００３】
また、ＬＥＤによる携帯で小型な懐中電灯が様々に生産され用いられている。しかし、常時持ち歩くには円筒型等に類する構造であることから、小さく細い形状であっても通勤用の定期入れ、財布、又は背広、ワイシャツ等の衣類に収め、携帯として身に着けるには抵抗感がある。
【０００４】
また、平面上にＬＥＤを設けて、照明として用いる電灯が存在するが、器具の周囲のみの照明であり、前方の焦点が合わず非常灯としては不向きである。
【０００５】
また、平面上にＬＥＤと従来のボタン電池装置を備えた照明の懐中電灯形式のものがあるが厚みがあり、筒状などに変形ができないものである。
【０００６】
また、フランジ部上に載置されることによってボタン電池を収容する電池ホルダーの電池収容部内に配置され、ボタン電池の電極と電池ホルダーを挿入する電源接続凹部に突出する電源端子間を絶縁する絶縁片部と、電池ホルダー外方に引き出される引き出し片部と、絶縁片部と引出片部を一体に連結する連結片部とを備え、連結片部の両側辺を、引き出し方向に向かって内側に傾斜する傾斜線とし、フランジ部の内壁面に摺接させる（例えば特許文献１参照）
【０００７】
さらに、携帯を容易にした懐中電灯に紐を設けて、紐の片一方に角カンを設けもう一方の紐の面に粘着テープを設けた腕時計型懐中電灯がある（例えば特許文献２参照）
【先行技術文献】
【特許文献】
【０００８】
【特許文献１】特開２０１３−１６４９２５号
【特許文献２】特開２０１８−４５９８３号
【発明の概要】
【発明が解決しようとする課題】
【０００９】
しかし、特許文献１の発明の電池ホルダー、及びこれに類する電池ホルダーにおいて、ボタン電池を収めた電池ルダーと絶縁シートを収納ケースに収め、絶縁シートを抜くことで通電するが、これらの構造では、再度、常に絶縁シートを挿抜するとき、挿入に難点があり、電池電極面と電極板に接するにおいて、電極板に板バネ等を形成するにおいては、その構造から厚みが生じるものである。
【００１０】
また、特許文献２の発明の腕時計型懐中電灯において、携帯としては有効であるが災難時に用いるとき、全方向の焦点を照らすことに難点がる。
また、腕時計に内臓型でなく、単独の時計型懐中電灯であるとき、実際に腕時計と同時に用いることに問題がある。
【００１１】
また、これらの照明装置を携帯とすることにボタン電池ホルダーの形状がやや厚く、電源スイッチを設けることから、薄い形状の照明を構成するには難があるものである。
【課題を解決するための手段】
【００１２】
そこで本発明は、上記の課題になされたもので、スイッチ機能を備えた薄型のボタン電池ホルダー開発し、該ボタン電池ホルダーと名刺サイズの面積で、柔軟に変形をする平面シート材を用いて、該平面シートとして、柔軟に変形をする樹脂材の平面シート面、あるいは柔軟に変形をする薄い金属板の面に１個又は複数個のＬＥＤ備え、ＬＥＤの点灯を容易な動作によってオン、オフをし、その構造は厚さを数ｍｍ程度であることから、名刺入れ、財布やバックの片隅に入れることができる。
緊急時に非常灯として用いる時、即座に取出し、平面型の状態の照明として用いるか、円筒型、又は多角形型等の筒状にして懐中電灯とすることを容易に変形ができる電灯を提供するものである。
【００１３】
上記の目的を達成するために、ボタン電池を収容する収容ケースにおいて、
外郭の側面の一辺より前記ボタン電池を挿入する開口部にし、他の辺を密閉したボタン電池ホルダーで、該収容ケースの内部に正電極板と負電極板を対向にして設け、前記正電極板の背面側に磁石を吸着する金属板を設け、前記負極電極板側の前記収容ケースの外面に前記磁石を着脱自在にし、
前記磁石を電気的絶縁性の合成樹脂の絶縁材の一端に設けた磁石付絶縁遮蔽板にし、該磁石付絶縁遮蔽板を前記開口部に挿抜できる形状にし、前記正電極板と前記負電極板の間に該磁石付絶縁遮蔽板を挿抜できる構造にして、両電極の接触、又は非接触操作をすることでＬＥＤへの電源供給をオン、オフ操作する。
また、前記磁石付絶縁遮蔽板を抜いて、前記磁石を前記ボタン電池ホルダーの前記収容ケースの外面に着けることで、前記磁石の磁力線はボタン電池を吸引し、さらにボタン電池を透過し、前記電極板接触面の背面に持着の前記鉄板を吸引することで、前記ボタン電池の両電極面と前記正電極板電極、及び前記負電極板電極が密着し、接触抵抗の改善し、接触を安定にすることを特徴とする。
【００１４】
また、前記収容ケース内に前記ボタン電池を収容において、
前記収容ケースの前記開口部は上面側より下面側が舌状に出た形状にし、前記舌状の端に前記ボタン電池を係止する凸起に形成し、前記ボタン電池の一端が前記開口部より出た状態で保持することを特徴とする。
【００１５】
また、（００１０）、及び（００１１）の何れかに記載のボタン電池ホルダーとＬＥＤを１個又は複数個、及び柔軟に変形する電気的絶縁性の合成樹脂の絶縁材を名刺サイズの平面シートを基板とし用いて、前記基板面に前記ボタン電池ホルダーと前記ＬＥＤを配設し、前記ボタン電池ホルダーの両電極端子と前記ＬＥＤの電極線と接続した平面用電灯、又は前記平面用電灯を筒状、又は多角形筒状の電灯に変形できることを特徴とする。
【００１６】
また、金属板の面に電気的絶縁性の合成樹脂材を貼着、又は電気的絶縁性の樹脂塗料を塗着した基板を用いることも可能である。
【発明の効果】
【００１７】
以上の説明から明らかのように、本発明にあっては次に列挙する効果が得られる。
【００１８】
請求項１により、ボタン電池ホルダーは、ボタン型電池のサイズに合わせスイッチ機能を有し、薄い構造でシンプルな構造となる。
【００１９】
また、電極に鉄板を備え、磁石の吸着により接触抵抗を改善し、電源供給の安定供給をする構造である。
【００２０】
また、柔軟に変形する平面シートを名刺サイズにすることで、変形するＬＥＤ懐中電灯を取出し即座に多角形筒状、あるいは円筒状に変形し、全方向に焦点を合わせる懐中電灯として用いることができる。
【００２１】
また、薄い基板面に設けた照明装置により名刺入れ、財布、小型バック、及びワイシャツのポケット等に容易に収めることができ、非常時には即座に変形する懐中電灯を取出し電灯として用いることができる。
【００２２】
また、非常時、遭難等において、変形する懐中電灯以外にペットボトルの栓に差込、又はビニール袋等を用いて覆い、容易にランタン替わりに変形して利用ができる。
【図面の簡単な説明】
【００２３】
【図１】本発明の第一実施例の図で、図ａ）は収容ケースの展開図。ｂ）は図ａ）の状態から中板を折罫により折り曲げる状態の展開図。図ｃ）は後板を中板の面に折り、下蓋を折る状態の斜視図。図ｄ）は全体を折り収容ケースの正面図である。
【図２】本発明の第一実施例の図で、図ａ）は収容ケースにボタン電池を挿入の正面図。図ｂ）はボタン電池を挿入後、磁石付絶縁遮蔽板を差し込む状態の正面図。図ｃ）はボタン電池ホルダー内の電極板とボタン電池電極面の間に磁石付絶縁遮蔽板を収めた正面図。
【図３】本発明の第一実施例の図で、図ａ）は収容ケース内の電極板に鉄板を備え、磁石付絶縁遮蔽板の磁石を設け挿抜する側面図。図ｂ）は磁石付絶縁遮蔽板を抜き収容ケースの面に吸着した側面図。図ｃ）は図ｂ）の正面図。図ｄ）は磁石により鉄板の吸着状態を示す図ｃ）のＺ−Ｚの要部拡大断面図である。
【図４】本発明の第一実施例におけるボタン電池ホルダーの収容ケースを一体形成をした図で、図ａ）は一体形成の収容ケース内に正、負電極板を挿入し、ボタン電池ホルダーを形成する斜視図、図ｂ）はボタン電池ホルダー内にボタン電池の挿入する正面図、図ｃ）はボタン電池ホルダー内にボタン電池を正、負電極板の間に磁石付絶縁遮蔽板を挿入する状態の正面図である。
【図５】本発明の第二実施例の変形式ＬＥＤ懐中電灯の図で、１例目の図ａ）は変形する平面シートの基板に多角形筒状の折罫を付け、端面に反射板を設けた展開の平面図。図ｂ）は平面シートの基板面に磁石付絶縁遮蔽板を挿入したボタン電池ホルダーとＬＥＤを取付け配線の平面図。図ｃ）は図ｂ）の構成の上面の全体に基板カバー10を密着し、左右端の裏面と表面に面ファスナーのループとフックを設けた平面図。図ｄ）は図ｃ）のＸ−Ｘにおける断面図である。
【図６】本発明の第二実施例の図５より、図ａ）は折罫より多角形筒状に形成した側面図。図ｂ）は図ａ）の平面図。図ｃ）は正面図である。
【図７】本発明の第二実施例において、２例目の円筒形に変形する展開の平面図。図ａ）は変形する平面シートの基板面にボタン電池ホルダーとＬＥＤを取付け、ボタン型電池を電池収容ケースに挿入する状態の平面図。図ｂ）はボタン電池を挿入したボタン電池ホルダーに磁石付絶縁遮蔽板を挿入する平面図。図ｃ）はボタン電池を保持したボタン電池ホルダーの面に磁石付絶縁遮蔽板を吸着した平面図である。
【図８】本発明の第二実施例の図７より、平面シートの基板の構成を円筒形に変形した斜視図である。
【発明を実施するための形態】
【００２４】
本発明の実施形態について図面を参照しながら説明する。
【００２５】
最初に、本発明の第一実施例の形態について、図１、図２及び図３を参照して説明する。
図１は本発明の第一実施例において、  図ａ）はボタン電池ホルダーの収容ケースの形成する状態の展開図。図ｂ）は図ａ）の状態から中板１２Ｃを折罫により、折り曲る状態の展開図。図ｃ）は後板１２Ａを中板１２Ｃの面に折り、下蓋１２Ｄを折る状態の斜視図。図ｄ）は各辺を折罫に沿って折り曲げた収容ケース状態の正面図である。
図２は図１より、図ａ）はボタン電池ホルダーである収容ケースにボタン型電池を挿入する状態の正面図。図ｂ）はボタン型電池を収容ケースに挿入後、電極間に磁石付絶縁遮蔽板を差し込む状態の正面図。図ｃ）は収容ケース内の正、負電極とボタン型電池電極面の間に磁石付絶縁遮蔽板を挿入した正面図。
図３は図１、図２より、図ａ）はボタン電池ホルダーの収容ケース内の電極板に鉄板を備え、磁石付絶縁遮蔽板の磁石を設け挿抜する側面図。図ｂ）は磁石付絶縁遮蔽板を抜き収容ケース面に吸着した側面図。図ｃ）は図ｂ）の正面図。図ｄ）は磁石により鉄板の吸着状態を示す図ｃ）のＺ−Ｚの要部拡大断面図である。
【００２６】
図１、図２及び図３に示すが如く、第一実施例は絶縁材による平面シートの基板５を図１の図ａ）の収容ケース12の展開平面図において、後板12A、前板12B、中板12C及び下蓋板12Dにして折罫７を介してケース状に形成するとともに、前板12Bの内側面に負電極板14を取付、前板12Bの中程に負電極端子孔17Bを設け、負電極端子14Aを前板12Bの表面側に取出し設ける。また、正電極板13を負電極板14の対向にして中板12Cの面に取付、中板12Bと下蓋板12Dの端に正電極端子孔17Aを設けて表側に取出す状態とする。
【００２７】
よって、図１の図ａ）、図ｂ）、図ｃ）の各図のように折罫７を介して収容ケース12にして、正、負電極板を設けたボタン電池ホルダー２を形成する。
また、図２、図３の収容ケース12に設けた正電極板13の背面に磁石に吸引する金属板の鉄板21を取付け、負電極板14側の収容ケース12の外面に磁石20を着脱自在にする。
【００２８】
また、収容ケース12の開口部15は上面の前板12Bより下面の後板12Aが舌状12Eに出た形状にし、ボタン電池18の一端が収容ケース12の開口部15より出た状態で保持する。
さらに、収容ケース12内に収容したボタン電池18の取出しを容易にすることで、開口部15において前板12B先端部を凹状の電池取出し口16にしてボタン電池18の端が出た状態の構造として、ボタン電池18の端を摘みやすくし、取出しを容易とする。
【００２９】
よって、収納ケース12の開口部15よりボタン電池18を挿入し、保持すると
前板12B先端部を凹状の電池取出し口16の形状により、ボタン電池18の端部が露出となり、取出しが容易であるが、一方落下する可能性があるため舌状12Eの凸状15に設けることでボタン電池18の端を係止の効果にして落下、離脱を防ぐように設ける。
【００３０】
また、図に示す展開図から、形状が多角形又は円形状であっても可能で、図ａ）から示す各板12A、12B、12C、12D及び12Eの形状、寸法はボタン型電池18を挿入、保持する容器であれば様々な多角形状が可能である。
【００３１】
なお、ボタン電池ホルダー２を形成においてボタン電池18のサイズに合わせた収容ケース12とする。
【００３２】
また、ボタン電池ホルダー２における収容ケース12に挿入する磁石付絶縁遮蔽板19の絶縁材について、電気的絶縁性の合成樹脂材からなる絶縁材料を用いて、柔軟性の平面状にして、電気的特性の絶縁抵抗が十分高い材料で、絶縁板の一端に磁石20を設けた磁石付絶縁遮蔽板19である。
該磁石付絶縁遮蔽板19を用いて、両電極板13、14の間に挿入し、電気的接触を遮断する絶縁板である。
【００３３】
したがって、図２の図ａ）よりボタン電池ホルダー２の収容ケース12の開口部15にボタン電池18を挿入し、収容ケース12内部に保持することで、ボタン電池18の正電極面及び負電極面と正電極板13及び負電極板14と接触し、正電極端子13Aと負電極端子14Aにより電力の出力となる。
また、図ｂ）より絶縁板把手19Aを設けた磁石付絶縁遮蔽板19を負極側の間に電池取出し口16より挿入することで、図ｃ）よりボタン電池18の負極と負電極板14の間に差し込むことで双方の電極が離れ非接触状態となり、図ｄ）はＹ−Ｙの断面図に示すように、電力供給がオフ状態となる。
【００３４】
なお、ボタン電池18の正極と正電極板13の間に差し込むと同様に電極が離れ、電力出力がオフ状態となる。
【００３５】
また、正電極端子13Aと負電極端子14Aに電力出力がオン状態にするには磁石付絶縁遮蔽板19を引き抜く操作をすることで容易に電源がオンとなる。
ここで、収容ケース12より磁石付絶縁遮蔽板19を引抜くことで、ボタン電池18の電極面とボタン電池ホルダー２の正電極板13及び負電極板14の接触となるが接触力が弱い、よって振動や動作の変動により、ボタン電池18の電極面と各電極板13、14の接触状態が不安定となり、接触抵抗が増し、出力が変動し、電源供給が不安定となる。
この現象を改善すべく図３の図ｂ）、図ｃ）のように接した状態により、図ｄ）において図ｃ）のＺ−Ｚ間の拡大断面図に示すように、磁石付絶縁遮蔽板19の磁石20部分を負電極板14側の収容ケース12の前板12Bの表面に吸着することでボタン電池18を吸着しながら磁力線が正電極板13を透過し、鉄板21を吸着することで正電極板13及び負電極板14の面とボタン電池18の電極面が密接に接触し、電源供給が安定な状態のボタン電池ホルダー２である。
【００３６】
なお、収納ケース12内にボタン電池18を保持にして、前板面12Eに磁石付絶縁遮蔽板19の磁石20を装着すると磁力が負電極板14透過し、ボタン電池と正電極板13の鉄板21を吸着において、前板12Bの面は柔軟で弾力性にして吸着力効果を高めるように設ける
【００３７】
また、収納ケースを一体形成にしたボタン電池ホルダーについて説明する。
【００３８】
前記記載の本発明の第一実施例のボタン電池ホルダー２aの収容ケース12aについて、合成樹脂材を用いて一体形成をした収納ケース12aのボタン電池ホルダー２aについて、図４を参照して説明をする。
【００３９】
図４は本発明の第一実施例におけるボタン電池ホルダー２の収容ケース12を一体形成をした図で、図４の図ａ）は一体形成をした収容ケース12a内に正電極板13と負電極板14を挿入し、ボタン電池ホルダー2aを形成の斜視図、
図ｂ）は図ａ）のボタン電池ホルダー2a内にボタン電池18の挿入する正面図、
図ｃ）はボタン電池ホルダー2a内にボタン電池18を正電極板13、負電極板14の間に磁石付絶縁遮蔽板19を挿入する状態の正面図である。
よって、収容ケース12aの制作にあたり、折り曲げて形成する以外に、一体形成による構成図である。
【００４０】
よって、図４に示すが如く、合成樹脂材を一体形成によりボタン電池ホルダー2aの収容ケース12aの形状とし、ボタン電池18を収容できる寸法で外郭の一辺にボタン電池18の挿入の開口部15にし、他の辺は密閉にし、該他の辺の一辺に正電極板13の正電極端子孔17A形を設け、また収納ケース12aの上面側の一端に負電極板14の負電極端子孔17Bの孔を設ける。
よって、一体形成による収容ケース12a内に正電極板13と負電極板14を対向状態に設けて固定とすることから、正電極板13、負電極板14を挿入において、正電極端子孔17Aと負電極端子孔17Bより該正電極板13の正電極端子13A、及び負電極板14の負電極端子14Bを外部に出した構造とし、該両電極端子17A,17Bよりボタン電池８の電源出力端子とする。
また、正電極板13、又は負電極板14を収容ケース12a内に入れ電極組み立てにおいて、該正電極板13の裏面に鉄板21を固着し、収容ケース12a内に構成する。
【００４１】
なお、図４における記載の動作説明は、第一実施例における図１〜図３と説明が同一において一部省略します。
よって、ボタン電池ホルダー2a内にボタン電池18を挿入し、保持した状態において、ボタン電池18の両電極面と該正電極板13と負電極板14と接触し、各正、負電極端子17A、17Bより電力出力となるが、磁石付絶縁遮蔽板19を用いて開口部15より挿入し、ボタン電池2aの一方の電極面と、それに接する正電極板13、又は負電極板14の間に挿入することで、電極が離れ電源出力がオフとなり、また該磁石付絶縁遮蔽板19を引抜くことでボタン電池18の一方の電極面と、それに接する電極板が接触をすることでオンとなる。
該磁石付絶縁遮蔽板19を引抜くことでボタン電池18の一方の電極面と、それに接する電極板が接触をすることでオン動作になるが、ボタン電池18の両電極面と両電極板13、14の接触状態を安定するため、電極板の背面に鉄板21を固着していない一方の電極板側の電極ボタン電池ホルダー2aの外面に磁石20を吸着することで、該磁石20の磁力線はボタン電池18を吸引し、さらに電極裏面の鉄板21を吸引することで、ボタン電池18の両電極面と正、負電極板電極13、14が密着し、接触状態が改善し安定した電源出力となる。
【００４２】
なお、第一実施例の正電極板13、又は負電極板14の中央付近の面に弾性片を設ける。
該弾性片を電極端子とし、正電極板13、負電極板14の両電極板の面、又は一方の電極板の面に設け、正電極板13、負電極板14の間にボタン電池18を挿入し、保持すると同時に、ボタン電池の電極面へ弾性片の付勢力を受け、動かないように保持されながらボタン電池18の電極面と正電極板13、負電極板14との接触力が増し、安定した電源供給となる。
また、これらの構造によりボタン電池ホルダー２、2aの構造と、収容ケース12、一体形成の収容ケース12はボタン電池18の厚み、径に合わせ薄く小さい形状となる。
【００４３】
また、本発明の第二実施例の形態について、第一実施例記載のボタン電池ホルダーを用いた変型式ＬＥＤ懐中電灯について、１例目と２例目を図５〜図８を参照して説明する。
【００４４】
第二実施例の変形式ＬＥＤ懐中電灯の多角形筒状とした１例目の形態について、図５及び図６とともに、第一実施例のボタン電池ホルダーの図１〜図４を参照して説明する。
【００４５】
ここで、変形式ＬＥＤ懐中電灯は多角形筒状とした１例目について、  
図５の図ａ）は名刺サイズの柔軟に変形する平面シートの基板５の面に多角形筒状の折罫を設け、端面に反射板を設けた展開の平面図。図ｂ）は平面シートの基板５に磁石付絶縁遮蔽板19を挿入したボタン電池ホルダー２とＬＥＤ３を取付け配線の平面図。図ｃ）は図ｂ）の構成の上面の全体に基板カバー10を覆い密着し、磁石付絶縁遮蔽板を抜いた状態と左右端の裏面と表面に面ファスナーループ9A、フック9Bを設けた平面図。図ｄ）は図ｃ）のＸ−Ｘにおける断面図である。
図６は図ａ）は図６の折罫を介して多角形筒状に形成した側面図。図ｂ）は図ａ）の平面図。図ｃ）は正面図である。
【００４６】
図５及び図６に示すが如く、第二実施例において名刺サイズで柔軟に変形する絶縁材の平面シートを基板５の端面に反射板６を設けて、該反射面６にＬＥＤ３の３個を配列し、接続を並列結線する。
また、もう一方の端面に第一実施例のボタン電池ホルダー２を用いて取付ける。
ここで、ボタン電池ホルダー２を用いて、正電極板13の背面に鉄板21を持着し、負電極板14の背面側に磁石付絶縁遮蔽板19の磁石20部分を載せるように設ける。
該ボタン電池ホルダー２の正電極端子13A、負電極端子14AにＬＥＤ３の並列接続のリード線と接続した構成にして、ボタン電池ホルダー２の開口部15の部分を開けて、構成した全体上面に基板カバー10を覆った状態で密着し、吊糸22の一端を基板５の端に取付て、もう一端に磁石付絶縁遮蔽板19に取付ける。
【００４７】
なお、図５の図ｃ）に示すように名刺サイズの柔軟に変形する平面シートの基板５を多角形筒状に変形し、該多角形筒状の状態を保つ材料を様々な材料を用いることができるので、例として、一方のサイド端面に面ファスナーループ9Aを設け、もう一方のサイド端面の反対側に面ファスナーフック9B設けた変形式ＬＥＤ懐中電灯１である。
【００４８】
したがって、上記の薄い構造により通常は名刺入れ、財布等に収め携帯として収め非常時や必要に応じて取出し、ボタン電池ホルダー２に収めた磁石付絶縁遮蔽板19の遮蔽板把手19Aを持ち、引抜をすることでＬＥＤ３が点灯をする、ここで図３の図ａ）〜図ｄ）に示すように磁石付絶縁遮蔽板19の磁石20を負電極板14の背面側の前板12Bの面、中央付近に乗せボタン電池18を吸着し、さらに正電極板13の背面に持着した鉄板21を吸引することで、ボタン電池18の正電極面、負電極面とボタン電池ホルダー２の正電極板13、負電極板14との接触を確実にし、安定な電源供給ができる。
【００４９】
よって、ＬＥＤ３の点灯により、そのままの平面状の電灯として用いるか、あるいは図８に示すように折罫７に沿って多角形筒状に折り変形し、面ファスナーループ9Aとフック9B部により張り合わせ固定し、前方向に照らすことが可能な変形式ＬＥＤ懐中電灯１として用いることができる。
【００５０】
なお、一例目の形態において、変形して固定することに面ファスナーを用いる以外に、孔を設けて引掛けて固定、また固定バンドを用いること等、様々な方法を用いることが可能である。
【００５１】
また、本発明の第二実施例の変形式ＬＥＤ懐中電灯の２例目の形態について、図７及び図８とともに第一実施例のボタン電池ホルダーの図１〜図４を参照して説明する。
【００５２】
ここで、変形式ＬＥＤ懐中電灯は円筒形とした２例目について、図７の図ａ）は名刺サイズの柔軟に変形する平面シートの基板５面にボタン電池ホルダー２とＬＥＤ３を取付け、ボタン電池18をボタン電池ホルダー２に挿入する状態の平面図。図ｂ）はボタン電池を挿入したボタン電池ホルダーに磁石付絶縁遮蔽板を挿入する平面図。図ｃ）はボタン電池18を保持したボタン電池ホルダー２の面に磁石付絶縁遮蔽板19を吸着した平面図である。
図８は図７の平面シートの基板の構成を円筒形に変形した斜視図である。
【００５３】
図７、図８に示すが如く、第二実施例の２例目において名刺程サイズで柔軟に変形する絶縁材の平面シートの基板５の端面に反射板６を設けて、該反射面６にＬＥＤ３の３個を配列し、並列結線をする。
また、もう一方の端面に第一実施例のボタン電池ホルダー２を用いて取付ける。
ここで、本発明の第二実施例の２例目について、筒状の変形式ＬＥＤ懐中電灯の図を参照して説明する。
ボタン電池ホルダー２を用いて、正電極板13の背面に鉄板21を持着し、負電極板14の背面側に磁石付絶縁遮蔽板19の磁石20を載せるように設ける。
該ボタン電池ホルダー２の正電極端子13A、負電極端子14AにＬＥＤ３の並列接続リード線と接続した構成にして、ボタン電池ホルダー２の開口部15の部分を開けて、構成した全体上面に基板カバー10を覆った状態とし、基板５の付近に吊糸22の一端を取付て、もう一端を磁石付絶縁遮蔽板19に取付ける。
また、図８に示すように名刺サイズ程の柔軟に変形する平面シートの基板５を円筒形に変形し、固定をする固定材として、一方のサイド端面に面ファスナーループ9Aを設け、もう一方のサイド端面の反対側に面ファスナーフック9B設けた変形式ＬＥＤ懐中電灯１である。
【００５４】
したがって、上記の構造により通常は名刺入れなどから取出し、ボタン電池ホルダー２に収めた絶縁遮蔽板19の遮蔽板把手19Aを持ち、引抜をすることでＬＥＤ３が点灯をする、ここで図３の図ａ）〜図ｄ）に示すように磁石付遮蔽板19に設けた磁石20を負電極板14の背面側の前板12Bの面、中央付近に乗せボタン電池18を吸着し、さらに正電極板13の背面に持着した鉄板21を吸引することで、ボタン電池電極とボタン電池ホルダー２の正電極板13、負電極板14との接触を確実にし、安定な電源供給ができる。
ここで、第二実施例の２例目は折罫７を設けず円筒形になるように変形の癖をつけた状態にする。
【００５５】
よって、ＬＥＤ３の点灯により、そのままの平面状の電灯として用いるか、あるいは図10に示すように円筒形に変形し、面ファスナーループ9Aとフック9B部により張り合わせ固定し、前方向に照らすことが可能な変形式ＬＥＤ懐中電灯１として用いることができる。
【００５６】
なお、二例目の形態において、変形して固定することに面ファスナーを用いる以外に、孔を設けて引掛けて固定、また固定バンドを用いること等、様々な方法を用いることが可能である。
【００５７】
また、実施例３において、前記基板19に用いる絶縁材において、電気的絶縁性の合成樹脂材からなる絶縁材料を用いて、寸法は名刺サイズで柔軟に変形する絶縁材の薄い数ｍｍの平面シートにして、平面状から容易に円筒形状、又は多角形筒状に変形でき、絶縁性であることの材料を用いる。
【００５８】
また、前記基板19を電気的絶縁性の合成樹脂材を貼着又は塗着した薄い金属材を用いる。
また、電気絶縁性に用いる塗料において、表面塗布用、含浸用、ワニスクロス用等、またポリウレタン，ポリエステル，シリコーンなどの合成樹脂を有機溶剤に溶かしたものがある。
【符号の説明】
【００５９】
1は変形式ＬＥＤ懐中電灯
２：２aはボタン電池ホルダー
３はＬＥＤ
４はスイッチ
4Aはプッシュオンスイッチ
５は基板
６は反射板
７は折罫
８はリード線
９Aは面ファスナー、ループ
９Bは面ファスナ―、フック
10は基板カバー
11は固定バンド
12：12aは収容ケース
12Aは後板
12Bは前板
12Cは中板
12Dは下蓋板
12Eは舌状
12Fは後片
13は正電極板
13Aは正電極端子
14は負電極板
14Aは負電極端子
15は開口部
15Aは凸部
16は電池取出し口
17Aは正電極端子孔
17Bは負電極端子孔
18はボタン電池
19は磁石付絶縁遮蔽板
19Aは遮蔽板把手
20は磁石
21は鉄板
22は吊糸
【図１】
2020187924.tif 000003
【図２】
2020187924.tif 000004
【図３】
2020187924.tif 000005
【図４】
2020187924.tif 000006
【図５】
2020187924.tif 000007
【図６】
2020187924.tif 000008
【図７】
2020187924.tif 000009
【図８】
2020187924.tif 000010